(57)【特許請求の範囲】
【請求項１】
羽根と、
前記羽根を回転させるためのモータと、
前記羽根および前記モータを収納する前ガードおよび後ガードと、
前記後ガードに設けられ、保冷剤を支持するための保冷剤支持部と、
前記保冷剤支持部に取り付けられたホルダーバンドと、
前記後ガードを固定するための架台と、
前記架台に取り付けられた受け部と、
前記ホルダーバンドの長さを調節し、前記ホルダーバンドを利用して前記保冷剤を固定するための固定手段と、
を有し、
前記ホルダーバンドを利用して、前記保冷剤を固定する、
携帯型扇風機。
【請求項２】
羽根と、
前記羽根を回転させるためのモータと、
前記羽根および前記モータを収納する前ガードおよび後ガードと、
前記後ガードに設けられ、保冷剤を支持するための保冷剤支持部と、
前記後ガードを固定するための架台と、
前記架台に接続される支持棒と、
前記支持棒に脱着可能に装着された固定リングと、
前記固定リングに一体的に取り付けられたホルダーバンドと、
を有し、
前記ホルダーバンドを利用して、携帯型扇風機をユーザの腕に固定する、
携帯型扇風機。
【発明の詳細な説明】
【技術分野】
【０００１】
本発明は、持ち運び可能なハンディタイプの携帯型扇風機に関するものである。
【背景技術】
【０００２】
近年、猛暑の影響により、電池で駆動する持ち運び可能なハンディタイプの携帯型扇風機が多数流通している。
同様に、据え置き型の扇風機の需要も高まり、高機能な扇風機が開発されている。例えば、特許文献１には、モータの後方に保冷庫を設け、保冷庫内に保冷剤を収納し、猛暑の環境であっても冷たい風を送る扇風機が提案されている。
【先行技術文献】
【特許文献】
【０００３】
【特許文献１】特開２０１４−１３４１３６号公報
【発明の概要】
【発明が解決しようとする課題】
【０００４】
特許文献１に記載の扇風機の保冷構造は比較的大きいため、当該保冷構造を携帯型扇風機に組み込むと、持ち運びに不便になると考えられる。
そこで、本発明は、安価で簡単な構造の冷却機能を有する携帯型扇風機を提供することを目的とする。
【課題を解決するための手段】
【０００５】
本発明の携帯型扇風機は、
羽根と、
前記羽根を回転させるためのモータと、
前記羽根および前記モータを収納する前ガードおよび後ガードと、
前記後ガードに設けられ、保冷剤を支持するための保冷剤支持部と、
前記保冷剤支持部に取り付けられたホルダーバンドと、
前記後ガードを固定するための架台と、
前記架台に取り付けられた受け部と、
を有し、
前記ホルダーバンドを利用して、前記保冷剤を固定する。
【０００６】
本発明の携帯型扇風機は、前記ホルダーバンドの長さを調節し、前記ホルダーバンドを利用して前記保冷剤を固定するための固定手段をさらに有することが好ましい。
【０００７】
本発明の携帯型扇風機は、
羽根と、
前記羽根を回転させるためのモータと、
前記羽根および前記モータを収納する前ガードおよび後ガードと、
前記後ガードに設けられ、保冷剤を支持するための保冷剤支持部と、
前記後ガードを固定するための架台と、
前記架台に接続される支持棒と、
前記支持棒に脱着可能に装着された固定リングと、
前記固定リングに一体的に取り付けられたホルダーバンドと、
を有し、
前記ホルダーバンドを利用して、携帯型扇風機をユーザの腕に固定する。
【図面の簡単な説明】
【０００８】
【図１】本発明の第１の実施形態に係る携帯型扇風機の保冷剤の装着前の状態を示す。
【図２】本発明の第１の実施形態に係る携帯型扇風機の保冷剤の装着後の状態を示す。
【図３】本発明の第１の実施形態に係る携帯型扇風機の変形例を示す。
【図４】本発明の第２の実施形態に係る携帯型扇風機を示す。
【図５】本発明の第２の実施形態に係る携帯型扇風機の変形例を示す。
【発明を実施するための形態】
【０００９】
図１および図２は、本発明の第１の実施形態に係る携帯型扇風機を示す図であり、図１は保冷剤の装着前の状態を示し、図２は保冷剤の装着後の状態を示す。
図１（ａ）および図２（ａ）は携帯型扇風機の正面図を示し、図１（ｂ）および図２（ｂ）は側面図を示し、図１（ｃ）および図２（ｃ）は平面図を示し、図１（ｄ）および図２（ｄ）は背面図を示す。
携帯型扇風機１０は、持ち運び可能なハンディタイプの小型扇風機であり、基本的な構成として、羽根１と、羽根１を回転させるためのモータ（図示せず）と、羽根１およびモータを収納する前ガード３ａおよび後ガード３ｂと、後ガード３ｂを固定するための架台４と、架台４に接続される支持棒５と、を有する。
支持棒５は、羽根１、モータ、前ガード３ａ、後ガード３ｂ、架台４等の扇風機上部分を支持し、支持棒５の内部には電源（電池）が収納され、モータに電力を供給する。支持棒５には、電源ＯＮ／ＯＦＦのボタン（図示せず）およびモータ回転数を制御するためのボタン（図示せず）等が設けられている。ユーザは、支持棒５を手に持ち、携帯型扇風機１０の風を顔や首等に向けることができる。
【００１０】
携帯型扇風機１０は、さらに、後ガード３ｂの中央に設けられ、保冷剤Ａを支持するための２つのコの字型の保冷剤支持部７と、２つの保冷剤支持部７にそれぞれ取り付けられたホルダーバンド８（図２）と、架台４に取り付けられた受け部９と、を有する。
２つの保冷剤支持部７は、後ガード３ｂの背面に左右対称に設けられている。
ホルダーバンド８は、保冷剤支持部７に取り外し可能に取り付けられている。ホルダーバンド８は、任意の材料とすることができるが、可撓性のある材料、布またはナイロン繊維で織った布等が好ましい。また、ホルダーバンド８は、紐状でもよいし、フラット状でもよい。
ホルダーバンド８のそれぞれの先端部には、面ファスナー（例えばマジックテープ（登録商標））等の固定手段が設けられており、２つのホルダーバンド８の先端部を重ね合わせた状態で噛み合うように固着する。あるいは、ホルダーバンド８自体を面ファスナーにより構成することもできる。あるいは、２つのホルダーバンド８の両端（保冷剤支持部７に取り付けられた端の反対端）を結んでもよい。
受け部９の上に保冷剤Ａを載置し、２つのホルダーバンド８を利用して、保冷剤Ａを固定する。
保冷剤Ａは、ケーキ等を購入する際に同梱される保冷材でもよいし、冷凍させたペットボトルでもよい。また、保冷剤Ａは、ハンカチまたはタオル等で包んでもよい。
【００１１】
図２に示すように、保冷剤Ａを装着した状態で携帯型扇風機１０を動作させると、保冷剤Ａが携帯型扇風機１０の送風路に存在するため、風が冷却され、ユーザは涼風感を得ることができる。
このように、本発明では、従来の携帯型扇風機に、保冷剤支持部７とホルダーバンド８と受け部９との３つの部品のみを追加することにより、安価で簡単な構造の冷却機能を有する携帯型扇風機１０を提供することができる。
【００１２】
図３は、本発明の第１の実施形態に係る携帯型扇風機の変形例を示す。
１つのホルダーバンド８の両端は、２つの保冷剤支持部７にそれぞれ取り付けられ、ホルダーバンド８の輪になる部分に固定手段としてのコードストッパ８ａが設けられている。保冷剤Ａの大きさに合わせてコードストッパ８ａをスライドさせることで、ホルダーバンド８により保冷剤Ａを固定することができる。
なお、コードストッパ８ａの他、ホルダーバンド８の長さを調節し、ホルダーバンド８を利用して保冷剤Ａを固定するための任意の固定手段を用いることができる。
【００１３】
本発明は、上述した実施形態に限定されずに、任意の変形が可能である。
例えば、第１の実施形態では、受け部９は、長方形の平坦な板状であるが、保冷剤Ａとしてペットボトルを用いた場合に、ペットボトルの収まりがよいように、ペットボトルの形状よりわずかに大きい円形の凹部が設けられていてもよい。あるいは、受け部９は、保冷剤Ａに結露した水滴をある程度保持できるように、箱状でもよい。
また、受け部９は、取り外し可能にすることができ、保冷剤Ａを装着しないで携帯型扇風機１０を使用する際に邪魔にならないようにすることができる。
第１の実施形態では、後ガード３ｂと架台４と支持棒５とが別体であるが、後ガード３ｂと架台４と支持棒５とは、例えば射出成形により一体の部材として構成されてもよい。
【００１４】
第１の実施形態では、ホルダーバンド８が、保冷剤Ａを固定するために利用される例を説明したが、ホルダーバンド８は、ユーザの腕に取り付けられてもよい。あるいは、ホルダーバンド８は、保冷剤Ａを固定するとともに、ユーザの腕に取り付けられてもよい。すなわち、ユーザの腕に保冷剤Ａを接触させた状態でその周りにホルダーバンド８を巻き付けてもよい。この場合、ユーザは、例えば、日傘を差しながら携帯型扇風機１０を利用することができるので利便性が向上する。
以下、ホルダーバンドの変形例を説明する。
【００１５】
図４は、本発明の第２の実施形態に係る携帯型扇風機を示す図であり、図４（ａ）は携帯型扇風機の正面図を示し、図４（ｂ）は側面図を示す。
携帯型扇風機２０は、携帯型扇風機１０と同様に、基本的な構成として、羽根１１と、羽根１１を回転させるためのモータ（図示せず）と、羽根１１およびモータを収納する前ガード１３ａおよび後ガード１３ｂと、後ガード１３ｂを固定するための架台１４と、架台１４に接続される支持棒１５と、架台１４と支持棒１５とを連結するヒンジ１６と、を有する。
【００１６】
携帯型扇風機２０は、さらに、後ガード１３ｂの上部に設けられ、保冷剤Ａを支持するための１つのＬ字型の保冷剤支持部１７を有する。
保冷剤Ａを収納したネット状の袋Ｂを保冷剤支持部１７に引っ掛けて吊るすことにより、保冷剤支持部１７は、保冷剤Ａを支持する。
袋Ｂは、例えば、石鹸ネットやミカンネットのようにネット状とすることにより、携帯型扇風機２０からの風を効果的に提供することができるが、布製やビニール製でもよい。
なお、保冷剤支持部１７は、Ｌ字型に限定されるものではなく、リング型でもよい。
【００１７】
図５は、本発明の第２の実施形態に係る携帯型扇風機の変形例を示す。
変形例の携帯型扇風機２０では、ｘ矢印で示すように、ヒンジ１６を支点に支持棒１５に対して扇風機上部分が折り曲げられている。
なお、図示例では、保冷材Ａが携帯型扇風機２０の送風路に存在しないため、保冷材Ａによる冷却効果が低いが、ｙ矢印で示すように、袋Ｂの下端を、後ガード１３ｂの下部、架台１４または支持棒１５の上部に引っ掛けるための手段を設けることにより、保冷剤Ａが携帯型扇風機２０の送風路に存在するようになり、保冷材Ａによる冷却効果を高めることもできる。
【００１８】
携帯型扇風機２０は、支持棒１５に脱着可能に装着された固定リング１９と、固定リング１９に一体的に取り付けられたホルダーバンド１８と、をさらに有する。
固定リング１９は、図５（ｃ）に示すように、略Ｃ形の断面を有し、支持棒１５に装着した際にガタつきなく固定できるように若干のばね性を有することが好ましい。
ホルダーバンド１８は、上述したホルダーバンド８と同様に、ホルダーバンド１８のそれぞれの先端部には、面ファスナーが設けられており、ホルダーバンド１８を利用して、携帯型扇風機２０をユーザの腕に固定することができる。この場合、ユーザは、保冷剤Ａによる快適な涼風を得ながら、携帯型扇風機２０をハンズフリーで使用することができる。
なお、図４および図５に記載されている寸法は、一例である。
【符号の説明】
【００１９】
１、１１      羽根
３ａ、１３ａ  前ガード
３ｂ、１３ｂ  後ガード
４、１４      架台
５、１５      支持棒
７、１７      保冷剤支持部
８、１８      ホルダーバンド
８ａ          コードストッパ
９            受け部
１０、２０    携帯型扇風機
１６          ヒンジ
１９          固定リング
Ａ            保冷剤
Ｂ            袋
【要約】
【課題】安価で簡単な構造の冷却機能を有する携帯型扇風機を提供する。
【解決手段】携帯型扇風機は、羽根と、羽根を回転させるためのモータと、羽根およびモータを収納する前ガードおよび後ガードと、後ガードに設けられ、保冷剤を支持するための保冷剤支持部と、保冷剤支持部に取り付けられたホルダーバンドと、後ガードを固定するための架台と、架台に取り付けられた受け部と、を有し、ホルダーバンドを利用して、保冷剤を固定する。
【選択図】図２【図１】
0006683876.tif 000002
【図２】
0006683876.tif 000003
【図３】
0006683876.tif 000004
【図４】
0006683876.tif 000005
【図５】
0006683876.tif 000006